(57)【要約】 【課題】  スプロケットに異物を噛み込んだときにも球の揚送が完全に停止されることがなく、且つ部品の損傷を回避することが可能なスプロケット式球揚送機を提供する。【解決手段】  外周の凹部６により球を噛み込んでこの球を上方に揚送するための複数のスプロケット２が、共通のモータ軸７に装着されたスプロケット式球揚送機において、各スプロケット２とモータ軸７との間に、クラッチ機構８を装備した。すなわち、モータ軸７には、放射状の止まり孔９２を有する中間部材９を介装し、止まり孔９２にコイルバネ８１と球体８２とを装入したうえに、スプロケット２には、内周面に係合凹部２２を有するモータ軸装着孔２１を設けて、コイルバネ８１により放射方向に付勢される球体８２を係合凹部２２に当接してクラッチ機構８となす。【選択図】    図３
2006305065.tif 000002
【特許請求の範囲】
【請求項１】
外周の凹部により球を噛み込んでこの球を上方に揚送するための複数のスプロケットが、共通のモータ軸に装着されたスプロケット式球揚送機において、
各スプロケットとモータ軸との間に、少なくとも何れかのスプロケットに過負荷がかかったときにモータ軸の空転を可能とするクラッチ機構を装備したことを特徴とするスプロケット式球揚送機。
【請求項２】
モータ軸には、各スプロケットに対応してその放射方向に止まり孔を設けてこの止まり孔に弾性体と球体とを装入したうえに、スプロケットには、内周面に係合凹部を有するモータ軸装着孔を設けて、
弾性部材により放射方向に付勢される球体と、その球体が開口に当接される係合凹部とにより、クラッチ機構を構成した請求項１に記載のスプロケット式球揚送機。
【請求項３】
球揚送路の途中に、揚送停止確認用のセンサーを配設した請求項２に記載のスプロケット式球揚送機。
【発明の詳細な説明】
【技術分野】
【０００１】
本発明は、パチンコ球を遊技機島上部に揚送するためのスプロケット式揚送機の改良に関する。
【背景技術】
【０００２】
パチンコ遊技機から回収された球を研磨機で研磨した後、上部補給タンクにまで揚送するための揚送機として、特許文献１に開示されているようなスプロケット式のものが知られている。このスプロケット式の球揚送機は、一方のパイプから送り込まれた球をスプロケットの外周に形成した凹部に噛み込んで、他方のパイプに圧送する方式のものであるが、球と凹部の間にゴミなどの異物を噛み込んだときにはスプロケットの回転抵抗が増大して、モータなどの揚送装置を構成する部品が損傷してしまうという問題があった。その解決策として、磁力を利用してモータ軸を空転させる手段を取り得るが、この場合には、磁力を利用することでパチンコ球自体にも磁力を帯びてしまうおそれがあるので、この解決策を採用することはできない。また、一つのモータにより複数のスプロケットを駆動させるようにした場合においては、いずれかのスプロケットにトラブルが発生すると、モータが回転不能になって揚送装置全体が停止してしまい球の揚送が完全に停止してしまうという問題があった。
【特許文献１】特開２０００−１４０３８４号公報  (図３)
【発明の開示】
【発明が解決しようとする課題】
【０００３】
本発明は、上記した従来の問題点を解決し、スプロケットに異物を噛み込んだときにも球の揚送が完全に停止されることがなく、且つ部品の損傷を回避することが可能なスプロケット式球揚送機を提供することを課題とする。
【課題を解決するための手段】
【０００４】
上記の課題を解決するためになされた本発明のスプロケット式球揚送機は、外周の凹部により球を噛み込んでこの球を上方に揚送するための複数のスプロケットが、共通のモータ軸に装着されたスプロケット式球揚送機において、
各スプロケットとモータ軸との間に、少なくとも何れかのスプロケットに過負荷がかかったときにモータ軸の空転を可能とするクラッチ機構を装備したことを特徴とするものである。
【０００５】
上記スプロケット式球揚送機において、モータ軸には、各スプロケットに対応してその放射方向に止まり孔を設けてこの止まり孔に弾性体と球体とを装入したうえに、スプロケットには、内周面に係合凹部を有するモータ軸装着孔を設けて、弾性部材により放射方向に付勢される球体と、その球体が開口に当接される係合凹部とにより、クラッチ機構を構成することができる。また、球揚送路の途中に、揚送停止確認用のセンサーを配設することができる。
【発明の効果】
【０００６】
本発明のスプロケット式球揚送機は、スプロケットとモータ軸との間にクラッチ機構を装備したので、異物の混入などによりスプロケットに過負荷がかかったときにモータ軸のみを回転させることができるので、モータなどの部品が損傷したりすることがない。また、トラブルの発生したスプロケットのみを停止させることができるので、球の揚送が完全に停止されてしまうことがない。
スプロケットのモータ軸装着孔の内周面に係合凹部を設け、この係合凹部の開口に弾性部材により放射方向に付勢された球体を当接させるようにしたので、過負荷がかかったときにスプロケットとモータ軸の係合を容易に解除することができる。
そして、球揚送路の途中にセンサーを配置しておけば、トラブル回避対策を迅速に講ずることができる。
【発明を実施するための最良の形態】
【０００７】
以下に本発明を実施するための最良の形態について説明する。
図１、２は、本発明に係るスプロケット式球揚送機の構成を示す図であって、１はボックス状の本体、２はスプロケットである。本体１内には球の搬送路３が複数列設けてあって、これに対応してスプロケット２も複数配設してある。搬送路３の一方には球の流入パイプ４が接続され、搬送路３の他方には揚送パイプ５が接続してある。スプロケット２はその外周に球噛み込み用の凹部６を多数有している。このスプロケット２はモータＭによって駆動される。したがって、球の流入パイプ４から搬送路３内に流入した球はスプロケット２の凹部６に噛み込まれて揚送パイプ５の方に球を送り出すので、球を上方に揚送することができる。
【０００８】
以上のスプロケット式球揚送機において、モータＭのモータ軸７とスプロケット２との間には、ゴミなどの異物の混入によりスプロケット２の回転に過負荷がかかったときにモータ軸７の空転を可能とするクラッチ機構８が配設されている。即ち、モータ軸７には筒状の中間部材９が嵌め込まれ、この中間部材９にスプロケット２が装着されている。モータ軸７は突条７１を有し、中間部材９はキー溝９１を有していて、キー溝９１に突条７１が嵌め込まれているので、中間部材９は常にモータ軸７と一体に回転する。
【０００９】
中間部材９は、外周に等間隔をおいて４つの止まり孔９２が回転中心から放射方向に形成されている。この止まり孔９２の中には、図３に詳細を示すように弾性体であるコイルバネ８１が装入され、このコイルバネ８１の弾発力に抗して球体８２が装入されている。そして、スプロケット２はモータ軸装着孔２１を有し、モータ軸装着孔２１の内周面と、中間部材９の外周面との間にはわずかな隙間が形成してあるので、中間部材９はモータ軸７の回転によりスプロケット２とは独立して回転することができる。モータ軸装着孔２１は内周面に、径が球体８２の直径よりもやや小さい、即ち球体８２の直径よりも小さく半径よりも大きい円柱状の係合凹部２２を有している。正常状態においては、コイルバネ８１の付勢により球体８２は中間部材９の外周面より突出し、係合凹部２２の開口に当接されているので、回転抵抗がかかりスプロケット２はモータ軸７と一体に回転することができる。
【００１０】
以上のように構成したクラッチ機構８において、スプロケット２が異物を噛み込んで回転抵抗が係合凹部２２と球体８２との係合力より増大したような場合には、係合凹部２２と球体８２との係合が解除される。即ち、球体８２は、図４に示すようにモータ軸装着孔２１の内周面に押圧されて止まり孔９２内に押し込められ、中間部材９のみがモータ軸７とともに回転することになる。これによって中間部材９のみが回転することとなり、スプロケット２の回転は停止されるので、モータＭに過剰な負荷がかかることを防止することができる。また、止まり孔９２内に押し込められた球体８２は、モータ軸装着孔２１の内周面を転動するので、摩擦による部品の消耗を軽減することができる。
【００１１】
以上のスプロケット式球揚送機においては、複数の搬送路３を設けてあるので、何れかの搬送路３においてスプロケット２の回転が停止されても、他のスプロケット２により球を揚送することができるので、球の揚送が完全に停止されてしまうということがない。したがって、球を安定して揚送できるという他の揚送方式にはない大きな利点がある。また、揚送パイプ５などの球揚送路の途中にフォトセンサーなどを配置しておけば、トラブルにより揚送が停止された搬送路３を速やかに特定することができるので、直ちにトラブル回避対策を講ずることができる。トラブルが回避された場合には再び球体８２が係合凹部２２に係止されることとなるので、球の揚送を速やかに再開することができる。なお、上記実施形態においては、クラッチ機構８をモータ軸７とは別体の中間部材９に設けたが、クラッチ機構８はモータ軸７に直接設けてもよいものである。
【図面の簡単な説明】
【００１２】
【図１】正常状態にあるスプロケット式球揚送機を示す正面の断面図である。
【図２】図１に示すスプロケット式球揚送機の平面の断面図である。
【図３】係合状態にあるクラッチ機構を示す要部拡大部である。
【図４】係合解除状態にあるクラッチ機構を示す要部拡大部である。
【図５】揚送停止状態にあるスプロケット式球揚送機を示す正面の断面図である。
【符号の説明】
【００１３】
１  本体、２  スプロケット、３  搬送路、４  流入パイプ、５  揚送パイプ、６  球噛み込み用の凹部、７  モータ軸、８  クラッチ機構、９  中間部材、２１  モータ軸装着孔、２２  係合凹部、７１  突条、９１  キー溝、９２  止まり孔、８１  コイルバネ、８２  球体
【図１】
2006305065.tif 000003
【図２】
2006305065.tif 000004
【図３】
2006305065.tif 000005
【図４】
2006305065.tif 000006
【図５】
2006305065.tif 000007